(57)【要約】【課題】使用目的の異なる複数の情報記録担体の情報を１台の情報読取装置で混在することなく読み書きさせ、情報記録担体の交換を容易にする。【解決手段】情報読取装置は、情報記録担体の情報を読み取る読取書込部と、情報記録担体の情報を読み取る際に前記情報記録担体を位置させる少なくとも２つの読取位置とを備え、１つの読取位置は情報記録担体の少なくとも一部を収容する収容部であり、他の１つの読取位置は情報記録担体を載置する載置部としたものである。【選択図】図１
2005301723.tif 000002
【特許請求の範囲】
【請求項１】
情報記録担体の情報を読み取る際に情報記録担体を位置させる少なくとも２つの読取位置を有し、１つの読取位置は情報記録担体の少なくとも一部を収容する収容部であり、他の１つの読取位置は情報記録担体を載置する載置部である情報読取装置。
【請求項２】
情報記録担体の情報を読み取る際に情報記録担体を位置させる少なくとも２つの読取位置を有し、１つの読取位置は情報記録担体の少なくとも一部を収容する収容部であり、他の１つの読取位置は情報記録担体を載置する載置部であり、前記収容部に位置する情報記録担体と前記載置部に位置する情報記録担体の両方の情報を読み取る読取部を備えた情報読取装置。
【請求項３】
情報記録担体は無線により通信を行う非接触式の情報記録担体であり、読取部は前記情報記録担体に電波を送信するアンテナからなる請求項２記載の情報読取装置。
【請求項４】
収容部に情報記録担体が位置することを検知する検知部と、前記検知部からの信号に基づいて読取部の制御を行う制御部とを備え、前記検知部により前記収容部に情報記録担体が位置することを検知した場合に、前記読取部による載置部に載置される情報記録担体の情報の読み取りが可能となる請求項２または３記載の情報読取装置。
【請求項５】
外部機器と通信を行う通信部と、前記外部機器との間で収容部に位置する情報記録担体が認証可能なものであるか否かの認証を行う認証部と、前記認証部からの信号に基づいて読取部の制御を行う制御部とを備え、前記認証部により前記収容部に位置する情報記録担体が認証可能な情報記録担体であるとした場合に、前記読取部による載置部に載置される情報記録担体の情報の読み取りが可能となる請求項２または３記載の情報読取装置。
【請求項６】
収容部に位置する情報記録担体を固定する固定手段を備え、前記固定手段が前記収容部に位置する情報記録担体を固定しており、前記情報記録担体の認証を行った後、前記固定手段による前記情報記録担体の固定が継続している間は、読取部による前記収容部に位置する前記情報記録担体の読み取りを行わない請求項５記載の情報読取装置。
【請求項７】
情報記録担体の情報を読み取る際に情報記録担体を位置させる少なくとも２つの読取位置を有し、１つの読取位置は情報記録担体の少なくとも一部を収容する収容部であり、他の１つの読取位置は情報記録担体を載置する載置部であり、前記収容部に位置する情報記録担体の情報を読み取る第１の読取部と、前記載置部に位置する情報記録担体の情報を読み取る第２の読取部を備えた情報読取装置。
【請求項８】
収容部に位置する情報記録担体は通信用の接点を有する接触式の情報記録担体であり、第１の読取部は前記接触式の情報記録担体の接点と接触して通信を行う端子からなり、載置部に位置する情報記録担体は無線により通信を行う非接触式の情報記録担体であり、第２の読取部は前記非接触式の情報記録担体に電波を送信するアンテナからなる請求項７記載の情報読取装置。
【請求項９】
収容部に情報記録担体が位置することを検知する検知部と、前記検知部からの信号に基づいて第２の読取部の制御を行う制御部とを備え、前記検知部により前記収容部に情報記録担体が位置することを検知した場合に、前記第２の読取部による載置部に載置される情報記録担体の情報の読み取りが可能となる請求項７または８記載の情報読取装置。
【請求項１０】
外部機器と通信を行う通信部と、前記外部機器との間で収容部に位置する情報記録担体が認証可能なものであるか否かの認証を行う認証部と、前記認証部からの信号に基づいて第２の読取部の制御を行う制御部とを備え、前記認証部により前記収容部に位置する情報記録担体が認証可能な情報記録担体であるとした場合に、前記第２の読取部による載置部に載置される情報記録担体の情報の読み取りが可能となる請求項７または８記載の情報読取装置。
【請求項１１】
収容部に位置する情報記録担体を固定する固定手段を備え、前記固定手段が前記収容部に位置する情報記録担体を固定しており、前記情報記録担体の認証を行った後、前記固定手段による前記情報記録担体の固定が継続している間は、第１の読取部による前記収容部に位置する前記情報記録担体の読み取りを行わない請求項５記載の情報読取装置。
【請求項１２】
載置部に位置する情報記録担体は、非接触式ＩＣカードである請求項１から１１のいずれか１項に記載の情報読取装置。
【請求項１３】
個人情報の入力が可能な情報入力端末と、前記情報入力端末と通信を行う情報読取装置と、前記情報入力端末の使用の認証を行うための認証用情報記録担体と複数の個人識別用情報記録担体とからなる情報処理システムであって、前記情報読取装置は、前記認証用情報記録担体の少なくとも一部を収容する収容部と、前記個人識別用情報記録担体を載置する載置部と、前記認証用情報記録担体および前記個人識別用情報記録担体の情報を読み取る読取部と、前記情報入力端末と通信を行う通信部と、前記情報入力端末との間で前記収容部に位置する認証用情報記録担体が認証可能なものであるか否かの認証を行う認証部とを備え、前記収容部に位置する認証用情報記録担体が前記認証部で認証された場合に、前記載置部に載置された個人識別用情報記録担体の情報の読み取りが可能となり、この個人識別用情報記録担体から読み取った個人識別情報を前記情報入力端末に送信し、前記情報端末は前記個人識別用情報記録担体から前記個人識別情報を受信し、この個人識別情報に対応した情報の入力が可能となる情報処理システム。
【請求項１４】
認証用情報記録担体を収容部に位置したままの状態で、載置部に載置する個人識別用情報記録担体を取り換えることにより、情報入力端末は前記載置部に載置した個人識別用情報記録担体の個人識別情報に対応した情報の入力が可能となる請求項１３記載の情報処理システム。
【請求項１５】
認証用情報記録担体は認証情報を有する認証用非接触式ＩＣカードであり、個人識別用情報記録担体は個人識別情報を有する個人識別用非接触式ＩＣカードであり、情報読取装置は前記認証用非接触式ＩＣカードおよび前記個人識別用非接触式ＩＣカードの情報を読み取る非接触リーダライタである請求項１３または１４記載の情報処理システム。
【発明の詳細な説明】
【技術分野】
【０００１】
本発明は、情報記録担体に記録された情報を読み取る情報読取装置およびその情報読取装置を用いた情報処理システムに関するものである。
【背景技術】
【０００２】
従来、情報記録担体の一例である磁気カードに記録された情報を読み取る装置として、磁気カードリーダが使用されてきた。しかし、この磁気カードはセキュリティ性の観点から、次第にセキュリティ機能が高いＩＣチップを使用したＩＣカードの利用が増えており、接触式ＩＣカードや非接触式ＩＣカード等のＩＣカードはセキュリティ機能の高い情報記録担体として利用されてきている。
【０００３】
なお、接触式ＩＣカードは、近年、ＩＣクレジットカードとして本格的に普及し始め、また耐静電気性や耐環境性に優れた電極端子部のない非接触ＩＣカードも行政サービス用のカードとして、例えば、住民基本台帳カードやＩＴ装備都市サービスカードなど電子行政サービスの個人認証用のカードとして使用されるようになってきた。
【０００４】
このように、接触式ＩＣカードや非接触式ＩＣカードの利用の増加に伴い、接触式ＩＣカードと非接触ＩＣカードの両方の読み取りが可能なカードリーダライタが提案されている（例えば、特許文献１参照）。
【０００５】
図５、図６は上記従来の接触式・非接触式兼用ＩＣカードリーダライタの概略正面図および概略側面図を示している。３０は接触式・非接触式兼用のＩＣカードリーダライタであり、ＩＣカード挿入口２６から挿入された１枚のＩＣカード２０に対して端子部２４あるいは無線部２５により活性化を試みることでＩＣカード２０が接触式ＩＣカードであるのか非接触式ＩＣカードであるかの判断を行い、接触式ＩＣカードである場合には端子部２４を介して通信を行い、非接触式ＩＣカードである場合には無線部２５を介して通信を行う。
【０００６】
以上により、接触式ＩＣカード用のカードリーダライタと非接触式ＩＣカード用のカードリーダライタを併設することなく、１台で両方式のＩＣカードが読み書きできるものである。
【特許文献１】特開平９−３０５７３６号公報
【発明の開示】
【発明が解決しようとする課題】
【０００７】
しかし、従来の接触式・非接触式兼用ＩＣカードリーダライタは、リーダライタに挿入された１枚のＩＣカードが、接触式ＩＣカードであっても、非接触式ＩＣカードであっても、接触式・非接触式兼用ＩＣカードであっても、読み書き可能とするものではあるが、接触式ＩＣカードと非接触式ＩＣカード、あるいは非接触式ＩＣカード同士等、複数のＩＣカードに対して読み書きできるものではない。
【０００８】
本発明は、使用目的の異なる複数の情報記録担体の情報を、１台の情報読取装置で読み書きするための情報読取装置およびこの情報読取装置を用いた情報処理システムを提供するものである。
【課題を解決するための手段】
【０００９】
上記課題を解決するために、本発明の情報読取装置は、情報記録担体の情報を読み取る際に前記情報記録担体を位置させる少なくとも２つの読取位置とを備え、１つの読取位置は情報記録担体の少なくとも一部を収容する収容部であり、他の１つの読取位置は情報記録担体を載置する載置部としたものである。
【００１０】
また、本発明の情報処理システムは、個人情報の入力が可能な情報入力端末と、前記情報入力端末と通信を行う情報読取装置と、前記情報入力端末の使用の認証を行うための認証用情報記録担体と複数の個人識別用情報記録担体とからなる情報処理システムであって、前記情報読取装置は、前記認証用情報記録担体の少なくとも一部を収容する収容部と、前記個人識別用情報記録担体を載置する載置部と、前記認証用情報記録担体および前記個人識別用情報記録担体の情報を読み取る読取部と、前記情報入力端末と通信を行う通信部と、前記情報入力端末との間で前記収容部に位置する認証用情報記録担体が認証可能なものであるか否かの認証を行う認証部とを備え、前記収容部に位置する認証用情報記録担体が前記認証部で認証された場合に、前記載置部に載置された個人識別用情報記録担体の情報の読み取りが可能となり、この個人識別用情報記録担体から読み取った個人識別情報を前記情報入力端末に送信し、前記情報端末は前記個人識別用情報記録担体から前記個人識別情報を受信し、この個人識別情報に対応した情報の入力が可能となるものである。
【発明の効果】
【００１１】
以上のように、本発明の情報読取装置は、複数の情報記録担体の情報を１台の情報読取装置で読み書きすることができ、また、載置部に載置した情報記録担体を容易に取り換えることができる。
【発明を実施するための最良の形態】
【００１２】
以下、本発明の一実施の形態について、図１から図４を用いて説明する。
【００１３】
図１に、本実施の形態における情報読取装置の一例である非接触カードリーダライタ４０と、これに接続される情報入力端末の一例であるパーソナルコンピュータ１０の概略ブロック図を示す。なお、非接触カードリーダライタ４０と、パーソナルコンピュータ１０と、パーソナルコンピュータ１０に接続される図示しないホスト装置と、後述するＩＣカード等の情報記録担体とから情報処理システムが構成される。また、図２に、非接触カードリーダライタ４０の外観斜視図を示す。
【００１４】
図１において、４０は非接触カードリーダライタである。４８は情報記録担体の一例でありパーソナルコンピュータ１０の使用の認証を行うための認証用非接触ＩＣカード５２の少なくとも一部を収容する第１の読取位置（以下、収容部という）であり、４９は情報記録担体の一例であり個人識別情報を有する個人識別用非接触ＩＣカード５１を載置する第２の読取位置（以下、載置部という）である。なお、図１において、収容部４８と載置部４９とは便宜上離して記載しているが、図２に示すように、重なった状態で設けられている。
【００１５】
また、４５は収容部４８あるいは載置部４９に位置する認証用非接触ＩＣカード５２あるいは個人識別用非接触ＩＣカード５１の情報を読み取る読取書込部であり、図示しない変復調部と送受信部とアンテナからなる無線送受信部で無線により認証用非接触ＩＣカード５２あるいは個人識別用非接触ＩＣカード５１と通信を行うものである。なお、このアンテナは、図２に示す非接触リーダライタ４０の収容部４８と載置部４９との間に位置するものである。
【００１６】
また、４４は収容部４８内に認証用非接触ＩＣカード５２が位置することを検知する検知部であり、４６は収容部４８内に位置する認証用非接触ＩＣカード５２を固定する固定手段であり、４７は収容部４８内に位置し固定手段４６により固定された認証用非接触ＩＣカード５２の固定を解除する固定解除手段であり、４１は検知部４４からの信号に基づいて読取書込部４５の制御を行う制御部であり、４２はパーソナルコンピュータ１０と通信を行う通信部であり、４３は収容部４８に位置する認証用非接触ＩＣカード５２が認証可能なものである否かを認証する認証部である。
【００１７】
また、図２において、４０は非接触カードリーダライタであり、６１は非接触カードリーダライタ４０に電源が供給されていることを報知する電源インジケータであり、６２は収容部４８内に認証用非接触ＩＣカード５２が位置することを報知する第１のインジケータであり、６３は認証用非接触ＩＣカード５２との通信異常を報知する第２のインジケータであり、６４は載置部４９に個人識別用非接触ＩＣカード５１が位置することを報知する第３のインジケータであり、６５は個人識別用非接触ＩＣカード５１との通信異常を報知する第４のインジケータであり、６６は固定手段４６による認証用非接触ＩＣカード５２の固定解除を指示するボタンである。
【００１８】
以上のように構成された非接触リーダライタ４０について、図３のフローチャートを用いてその動作を説明する。
【００１９】
非接触リーダライタ４０は、収容部４８に認証用非接触ＩＣカード５２が挿入されるのを待ち（ＳＴ１）、認証用非接触ＩＣカード５２が挿入されると読取書込部４５の無線送受信部のアンテナから搬送波の送信を開始し、認証用非接触ＩＣカード５２を活性化する（ＳＴ２）。なお、ステップをＳＴと記す。
【００２０】
認証用非接触ＩＣカード５２に認証用非接触ＩＣカード５２の存在確認のためのコマンドを送信し、応答の受信を行う（ＳＴ３）。なお、認証用非接触ＩＣカード５２から応答が無い場合は後述するＳＴ２１へ進む。
【００２１】
認証用非接触ＩＣカード５２から応答データがあった場合、認証部４３により認証用非接触ＩＣカード５２が正規の認証用カードであるか否かの認証を行う（ＳＴ４）。認証用非接触ＩＣカード５２の認証確認を行い、認証ができた場合はＳＴ６へ進み、認証できない場合は後述するＳＴ２１へ進む（ＳＴ５）。
【００２２】
次に、認証終了後において、認証用非接触ＩＣカード５２が収容部４８内に位置に存在するか否かを検知部４４により確認する。認証用非接触ＩＣカード５２が所定の位置に存在する場合にはＳＴ７に進み、存在しない場合には後述するＳＴ２１へ進む（ＳＴ６）。
【００２３】
そして、認証用非接触ＩＣカード５２の認証と位置が検知されることにより、個人識別用非接触ＩＣカード５１との通信が可能状態となり、読取書込部４５により個人識別用ＩＣカード５１の載置を確認するためにコマンドを送信し、ポーリング動作を周期的に繰り返す（ＳＴ７）。
【００２４】
そして、ポーリングに対する応答がある場合にはＳＴ９へ進み、無い場合にはＳＴ６へ戻る（ＳＴ８）。
【００２５】
応答があった場合には個人識別用非接触ＩＣカード５１へのアクセス処理を行い、個人識別情報を読み取り、読み取った情報をパーソナルコンピュータ１０へ送信する（ＳＴ９）。そして、アクセス処理が終了すると個人識別用非接触ＩＣカード５１をホルト状態に設定してＳＴ６へ戻る（ＳＴ１０）。
【００２６】
以降、ＳＴ６とＳＴ１０の間を繰り返すが、認証用非接触ＩＣカード５２を検知できなくなる、すなわち認証用非接触ＩＣカード５２が収容部４８から抜き取られた場合等はＳＴ２１へ進む。また、ＳＴ６とＳＴ１０の繰り返しにおいて、１つの個人識別用非接触ＩＣカード５１が収容部４８に位置している場合には、アクセス終了後に個人識別用非接触ＩＣカード５１はホルト状態となっているので、ＳＴ８ではＮＯとなり再度ＳＴ６に戻る。
【００２７】
また、ＳＴ３とＳＴ５とＳＴ６においてＮＯとなった場合の処理であるＳＴ２１では、読取書込部４５による搬送波の送信を停止し、個人識別用非接触ＩＣカード５１の非活性化を行う（ＳＴ２１）。
【００２８】
そして、認証用非接触ＩＣカード５２が収容部４８から抜き取られるのを確認して処理を終了する（ＳＴ２２）。
【００２９】
なお、制御部４１は検知部４４からの信号に基づいて読取書込部４５の制御を行うものであるが、認証用非接触ＩＣカード５２の認証を行った後に認証用非接触ＩＣカード５２が検知されている間は、つまり、固定手段４６による認証用非接触ＩＣカード５２の固定が継続している間は、読取書込部４５による認証用非接触ＩＣカード５２の読み取りは行わず、載置部４９に載置される個人識別用非接触ＩＣカード５１へのポーリングとアクセス処理を継続して行うものである。
【００３０】
これにより、収容部４８に認証用非接触ＩＣカード５２が存在し、載置部４９に個人識別用非接触ＩＣカード５１が存在する、といった２つの非接触ＩＣカードが存在する場合でも、個人識別用非接触ＩＣカード５１とのアクセス処理のみ行うこととなり、読み取り処理を簡略化することができる。すなわち、収容部４８に認証用非接触ＩＣカード５２が存在し続け、個人識別用非接触ＩＣカード５１を他の個人識別用非接触ＩＣカード５１に取り換えた場合には、個人識別用非接触ＩＣカード５１のみと通信を行い、認証用非接触ＩＣカード５２の読み取りは行わないので、読み取り処理を簡略化することができる。
【００３１】
そして、個人識別用非接触ＩＣカード５１から読み取った個人識別情報を、通信部４２を介してパーソナルコンピュータ１０へ送信し、パーソナルコンピュータ１０では、この個人識別情報に対応した情報の入力やデータの処理、さらには入力された情報や処理結果等を、図示していないネットワークで接続されたホスト装置へ送信することができる。
【００３２】
そして、このような個人識別情報に関する処理は、載置部４９に載置される個人識別用非接触ＩＣカード５１を取り換えることで複数の個人識別情報に関して行うことが可能となる。
【００３３】
なお、認証用非接触ＩＣカード５２の検知ができなくなると個人識別用非接触ＩＣカード５１に対する処理もできなくなる。そして、個人識別用非接触ＩＣカード５１に対する処理を再開するためには、認証用非接触ＩＣカード５２により再度認証を行わなければならない。
【００３４】
以上のように、本実施の形態の非接触リーダライタ４０は、挿入型（カード収容型）とオープン型（カード載置型）とを同時に実現するものであり、例えば、ある操作者がパーソナルコンピュータ１０にアクセス可能な人を認証するための認証用非接触ＩＣカード５２を所持し、その操作者が複数の個人から複数の個人識別用非接触ＩＣカード５１を預かって各個人を代行してパーソナルコンピュータ１０を用いて処理を行うシステムにおいて、操作者はシステムにアクセスするために必要な認証用非接触ＩＣカード５２を非接触カードリーダ４０の収容部４８に挿入し、非接触リーダライタ４０はこれをロック状態（固定状態）で保持して認証状態を継続し、操作者は複数の個人識別用非接触ＩＣカード５１を載置部４９に交換して載置することで各個人の処理を行うことができる。
【００３５】
このように、認証に必要な認証用非接触ＩＣカード５２は収容部４８内に保持して認証状態を継続し、交換が必要な個人識別用非接触ＩＣカード５１を容易に交換が可能な載置部４９に載置し、また、この載置部４９から取り除ける構成としたことにより、操作者は高いハンドリング性を有して各個人の処理を行うことができる。
【００３６】
なお、本実施の形態において、図２に示すように非接触リーダライタ４０の載置部４９に個人識別用非接触ＩＣカード５１を載置する例を示したが、図４に示すように、非接触リーダライタ４０は、個人識別用非接触ＩＣカード５１を立て掛けるようにして個人識別用非接触ＩＣカード５１を載置部４９に位置させるようにしてもよい。
【００３７】
また、本実施の形態においては載置部４９が１つである例を示したが、載置部４９を複数設けた構成としても良い。
【００３８】
また、収容部４８に収容するカードを非接触ＩＣカードとして説明したが、非接触リーダライタ４０内に接触式ＩＣカードを読み取るための読取接点を設け、収容部４８に収容するカードを接触式ＩＣカードとしても良い。
【００３９】
また、認証用非接触ＩＣカード５２の抜き取りを防ぐために、認証用非接触ＩＣカード５２は収容部４８内に全て収容されることが望ましい。
【００４０】
また、本実施の形態の非接触リーダライタ４０において、収容部４８と載置部４９に非接触ＩＣカードを載置する例を示したが、収容部４８を載置部４９に対して段状として載置部４９の下段に位置する第２の載置部とし、この第２の載置部に認証用非接触ＩＣカード５２を載置するようにしてもよい。
【００４１】
また、非接触リーダライタ４０は非接触ＩＣカードに情報を書き込む必要がない場合は、書込機能を有さないものとしてもよい。
【００４２】
また、非接触ＩＣカードに変えて、無線タグやＲＦＩＤタグ等に代表される無線で情報の通信を行う無線式情報記録担体を用いてもよい。
【産業上の利用可能性】
【００４３】
本発明の情報読取装置は、複数の情報記録担体の情報を１台の情報読取装置で読み書きすることができ、また、載置部に載置した情報記録担体を容易に取り換えることができるので、複数の情報記録担体を取り換えて情報の入力等を行うシステムに用いる情報読取装置等として産業上有用である。
【図面の簡単な説明】
【００４４】
【図１】非接触リーダライタおよび情報処理システムの概略構成を示すブロック図
【図２】非接触リーダライタの概略を示す外観斜視図
【図３】非接触リーダライタの動作を示すフローチャート
【図４】非接触リーダライタの概略を示す外観斜視図
【図５】従来のＩＣカードリーダライタの概略正面図
【図６】従来のＩＣカードリーダライタの概略側面図
【符号の説明】
【００４５】
１０  パーソナルコンピュータ
４０  非接触リーダライタ
４１  制御部
４２  通信部
４３  認証部
４４  検知部
４５  読取書込部
４６  固定手段
４７  固定解除手段
４８  収容部
４９  載置部
５１  個人識別用非接触ＩＣカード
５２  認証用非接触ＩＣカード
【図１】
2005301723.tif 000003
【図２】
2005301723.tif 000004
【図３】
2005301723.tif 000005
【図４】
2005301723.tif 000006
【図５】
2005301723.tif 000007
【図６】
2005301723.tif 000008